(57)【要約】【課題】環境を破壊することがなく柔軟性の高いＸ線遮断シート１０、Ｘ線遮断手袋１を提供し、利用者の満足度を向上させる。【解決手段】Ｘ線を遮断するＸ線遮断シート１０に、スズ材で構成したスズ層１４と、該スズ層によるＸ線の遮断効果が少ない周波数帯でＸ線遮断効果が前記スズ層よりも強い素材である銅材で構成した銅層１２とを備えた。Ｘ線遮断シート１０は、ビニールシートで構成した裏面層１１、銅層１２、ビニールシートで構成した基材層１３、スズ層１４、およびビニールシートで構成した表面層１５で構成し、いずれの層も５０μｍ程度厚みとして、Ｘ線遮断シート１０の柔軟性確保と銅層１２およびスズ層１４のＸ線遮断機能の確保を両立した。【選択図】図３
2007285971.tif 000002
【特許請求の範囲】
【請求項１】
Ｘ線を遮断するＸ線遮断シートであって、
スズ材で構成したスズ層と、
該スズ層によるＸ線の遮断効果が少ない周波数帯でＸ線遮断効果が前記スズ層よりも強い素材で構成した補助層とを備えた
Ｘ線遮断シート。
【請求項２】
前記補助層を、銅材で構成した
請求項１記載のＸ線遮断シート。
【請求項３】
少なくとも表面または裏面に、柔軟で熱溶着性を有する熱溶着層を備えた
請求項１または２記載のＸ線遮断シート。
【請求項４】
請求項１、２または３記載のＸ線遮断シートにより構成された
Ｘ線遮断衣料。
【請求項５】
請求項１、２または３記載のＸ線遮断シートにより手袋形状に構成された
Ｘ線遮断手袋。
【請求項６】
鉛材で構成されてＸ線を遮断する鉛製Ｘ線遮断体と
前記Ｘ線遮断シートの手の甲側に前記鉛製Ｘ線遮断体を着脱可能に取り付ける着脱手段とを備えた
請求項５記載のＸ線遮断手袋。
【発明の詳細な説明】
【技術分野】
【０００１】
この発明は、例えばＸ線を遮断するようなＸ線遮断シート、Ｘ線遮断衣料、およびＸ線遮断手袋に関する。
【背景技術】
【０００２】
従来、いわゆるレントゲン写真を得るＸ線撮影や、Ｘ線を用いて体の断層像を得るＣＴスキャンや、Ｘ線を放射してガン治療を行う放射線療法など、医療現場にてＸ線が種々の用途に利用されている。このようなＸ線に長時間被爆すると、人体は影響を受ける。このため、診察する医師や看護師等は、Ｘ線に被爆しないように、シールドされた別室に移動して作業を行っている。また、医療現場に限らず、Ｘ線が放射される場面は他にもあり、このような場面でもＸ線に被爆しないようにすることが好ましい。
【０００３】
このようなＸ線から人体を保護するものとして、エックス線防護用手袋が提案されている（特許文献１参照）。このエックス線防護用手袋は、手袋の甲側に綿形状の鉛や鉛合金材料を充填したものである。
【０００４】
しかし、鉛はＸ線の遮断に効果があるものの、環境保護の面から適切ではなかった。また、手袋のように繊細な指の動きに沿って柔軟に変形する必要がある物を作るに際して、鉛を用いて柔軟性を確保することは困難であるという問題があった。
【０００５】
【特許文献１】実開昭５４−８１０９８号公報
【発明の開示】
【発明が解決しようとする課題】
【０００６】
この発明は、上述の問題に鑑み、環境を破壊することがなく柔軟性の高いＸ線遮断シート、Ｘ線遮断衣料、およびＸ線遮断手袋を提供し、利用者の満足度を向上させることを目的とする。
【課題を解決するための手段】
【０００７】
この発明は、スズ材で構成したスズ層と、該スズ層によるＸ線の遮断効果が少ない周波数帯でＸ線遮断効果が前記スズ層よりも強い素材で構成した補助層とを備えたＸ線遮断シートであることを特徴とする。また、このＸ線遮断シートを用いたＸ線遮断衣料、およびＸ線遮断手袋であることを特徴とする。
【発明の効果】
【０００８】
この発明により、環境を破壊することがなく柔軟性の高いＸ線遮断シート、Ｘ線遮断衣料、およびＸ線遮断手袋を提供し、利用者の満足度を向上させることを目的とする。
【発明を実施するための最良の形態】
【０００９】
この発明の一実施形態を以下図面と共に説明する。  
図１はＸ線遮断手袋１の斜視図を示し、図２はＸ線遮断手袋１の分解斜視図を示し、図３は線遮断手袋１の人差し指部分における親指側側面のＡ−Ａ断面（図２参照）の拡大図を示す。
【００１０】
Ｘ線遮断手袋１は、柔軟で医療の触診などに適した使い捨て用の手袋本体５と、該手袋本体５の手の甲部分に装着される硬質で変形しない略板状のプロテクター２とで構成されている。
【００１１】
手袋本体５は、普通人の手（手首から全ての指の先端まで）の形状に形成された２枚のＸ線遮断シート１０，１０で構成する手の甲側シート６と手の平側シート８とを周囲の溶着ライン７に沿って熱溶着して構成している。
【００１２】
図２に示すように、手の甲側シート６には、手の甲の位置の表面に雄側面ファスナ９，９が設けられている。  
プロテクター２は、一定厚（例えば５ｍｍや１０ｍｍなど）の鉛板によって少し湾曲させた形状のプロテクター本体３と、該プロテクター本体３の裏面に設けられた雌側面ファスナ４，４により構成されている。この雌側面ファスナ４は、手の甲側シート６の雄側面ファスナ９と正面対応するように配置されており、雄側面ファスナ９と雌側面ファスナ４は着脱自在である。
【００１３】
なお、プロテクター２と手袋本体５とを着脱許容する着脱手段は、雌側面ファスナ４と雄側面ファスナ９に限らず、粘着シートで構成する、あるいはゴムバンドで構成するなど、着脱可能に取り付ける適宜の手段で構成することができる。
【００１４】
図３に示すように、手の甲側シート６や手の平側シート８を構成するＸ線遮断シート１０は、ビニールシートで形成された裏面層１１と、補助層として銅材で形成された銅層１２と、ビニールシートで形成された基材層１３と、スズ材で形成されたスズ層１４と、ビニールシートで形成された表面層１５とで構成されている。
【００１５】
裏面層１１、基材層１３、表面層１５は、ビニール材により５０μｍの肉厚のシートで形成されている。なお、この裏面層１１、基材層１３、表面層１５は、ビニール材で形成するに限らず、ナイロン、ポリエステル、またはＰＥＴで形成するなど柔軟性のある適宜の素材により形成することができる。ただし、表面層１５は、互いに熱溶着する素材など、接着加工が容易な素材で構成することが好ましい。
【００１６】
銅層１２は、基材層１３に対して５０μｍの厚みに銅を重合させた層であり、銅により形成したシートを重合接着する、あるいはスパッタリング等によって基材層１３に銅材を５０μｍの厚みになるまで蒸着するなど、適宜の方法によって形成する。
【００１７】
スズ層１４は、基材層１３に対して５０μｍの厚みにスズを重合させた層であり、スズにより形成したシートを重合接着する、あるいはスパッタリング等によって基材層１３にスズ材を５０μｍの厚みになるまで蒸着するなど、適宜の方法によって形成する。
【００１８】
溶着ライン７は、手の甲側シート６の表面層１５と手の平側シート８の表面層１５が熱溶着した部分である。ここで、手袋本体５の製造は、手の甲側シート６と手の平側シート８をいずれも表面層１５を対向させて接触させた状態に重ね合わせ、手の甲側シート６と手の平側シート８の端部である縁を一定幅（例えば１ｍｍなど）だけ溶着して行う。このとき、手首部分を残して熱溶着することで、手を通す手首部分以外は完全に溶着した手袋形状に形成することができる。そして、この溶着された手袋本体５を裏返せば、内側に位置していた表面層１５が外側に位置し、図３に図示する手袋本体５となる。
【００１９】
以上の構成により、触診など指を様々に動かして繊細な作業をするために必要な柔軟性を確保した上で、Ｘ線を効果的に遮断できるＸ線遮断手袋１を提供することができる。  
また、図４のグラフに示すように、スズ（元素記号：Ｓｎ）は、約０．０５ｎｍ〜０．１０ｎｍの波長のＸ線について鉛（元素記号：Ｐｂ）より遮断効果が劣っているが、約０．０５ｎｍ〜０．１３ｎｍの波長のＸ線についてＸ線の遮断効果が高い銅（元素記号：Ｃｕ）で形成した銅層１２を重ねていることで、この範囲の波長のＸ線も効果的に遮断できる。
【００２０】
そして、手袋本体５でＸ線を遮断する素材として銅とスズを採用しているため、鉛を用いるよりも安価で軽く製造することができる。従って、清潔性が要求される医療現場で使い捨て利用することに適し、しかも繊細な作業を妨げない軽く曲がり易い手袋本体５を提供できる。また、鉛を使用していないことで環境保護に貢献することもできる。
【００２１】
また、各層を約５０μｍの厚みとし、全体で約２５０μｍの厚みとしていることで、銅層１２とスズ層１４によるＸ線遮断機能の有効性確保と、Ｘ線遮断シート１０全体としての柔軟性確保とを両立させることができる。
【００２２】
また、少なくとも基材層１３にビニールシート（あるいはナイロンやポリエステルやＰＥＴなど）を用いていることで、Ｘ線遮断シート１０が手袋として用いられて激しく変形しても破れない充分な耐久強度を確保することができる。
【００２３】
また、人体に接触する裏面層１１にビニールシート（あるいはナイロンやポリエステルやＰＥＴなど）を用いていることで、利用者は、Ｘ線遮断手袋１の着用時に良好な着用感を得ることができ、Ｘ線遮断手袋１を快適に利用できる。
【００２４】
そして、手の甲部分には鉛で形成されたプロテクター２を装着することができるため、鉛によるＸ線遮断効果も得ることができる。このプロテクター２を装着する手の甲部分は、柔軟性が必要ないため、Ｘ線遮断手袋１をした状態での繊細な手作業に影響を与えないでＸ線を遮断できる。
【００２５】
しかも、プロテクター２は着脱可能であるため、使い捨てである手袋本体５を交換しても、同一のプロテクター２を何度も使用することができる。従って、鉛を用いることによる環境への影響を極力避けることができる。
【００２６】
なお、手の甲側シート６と手の平側シート８とを溶着ライン７で溶着する代わりに、１枚のＸ線遮断シート１０により手袋本体５を一体形成してもよいが、上述した実施例のように手の甲側シート６と手の平側シート８とを溶着ライン７で溶着することで、人の手にフィットする手袋形状を容易に製造することができる。
【００２７】
また、補助層として銅材で構成した銅層１２を用いたが、銅層１２の代わりに、銀（元素記号：Ａｕ）による５０μｍの銀層、またはプラチナ（元素記号：Ｐｔ）による５０μｍの銀層を用いても良い。図５のグラフに示すように、銀とプラチナは、いずれも０．０５ｎｍ〜０．１１ｎｍ程度の周波数についてスズよりもＸ線遮断効果が優れている。従って、銅層１２を用いた場合と同様に、Ｘ線を充分に遮断することができ、鉛を用いないことで環境保護に貢献できる。
【００２８】
また、実施例は手袋の例で説明したが、手袋に限らず、Ｘ線遮断シート１０によりエプロンやジャケット、ジャンパー、ズボン、スカートなど、適宜の衣料を製造してもよい。これにより、Ｘ線遮断効果を有する様々なＸ線遮断衣料を提供することができる。そして、Ｘ線遮断シート１０は、鉛を用いていないため、これらの衣料として提供しても人体に害を与えることがなく、安全に使用することができる。
【００２９】
また、裏面層１１、銅層１２、基材層１３、スズ層１４、および表面層１５は、いずれも５０μｍの厚みに形成したが、これに限らず、銅層１２とスズ層１４の各Ｘ線遮断機能が有効に機能し、かつＸ線遮断シート１０全体として手袋等の衣料品に適した柔軟性を有する厚みであれば、他の厚みに構成してもよい。この場合でも、銅層１２とスズ層１４によるＸ線遮断機能の確保と、Ｘ線遮断シート１０の柔軟性の確保を両立することができる。
【００３０】
また、Ｘ線を遮断する層は、スズ、銅、プラチナ、銀等の素材を使用して２層構造としたが、これに限らず３層構造とするなど他の複数層で構成してもよい。また、Ｘ線を遮断する層は、バリウム等の他の素材も用いて複数層に構成しても良い。これらの場合でも、適宜の組み合わせによってＸ線を効果的に遮断することができる。
【００３１】
この発明の構成と、上述の実施形態との対応において、
この発明のＸ線遮断衣料は、実施形態のＸ線遮断手袋１に対応し、
以下同様に、
鉛製Ｘ線遮断体は、プロテクター本体３に対応し、
着脱手段は、雌側面ファスナ４および雄側面ファスナ９に対応し、
補助層は、銅層１２に対応し、
熱溶着層は、表面層１５に対応するも、
この発明は、上述の実施形態の構成のみに限定されるものではなく、多くの実施の形態を得ることができる。
【図面の簡単な説明】
【００３２】
【図１】Ｘ線遮断手袋の斜視図。
【図２】Ｘ線遮断手袋の分解斜視図。
【図３】図２におけるＡ−Ａ断面の拡大図。
【図４】各素材のＸ線遮断機能を示すグラフ。
【図５】他の実施例の素材のＸ線遮断機能を示すグラフ。
【符号の説明】
【００３３】
１…Ｘ線遮断手袋
３…プロテクター本体
４…雌側面ファスナ
９…雄側面ファスナ
１０…Ｘ線遮断シート
１２…銅層
１４…スズ層
１５…表面層
【図１】
2007285971.tif 000003
【図２】
2007285971.tif 000004
【図３】
2007285971.tif 000005
【図４】
2007285971.tif 000006
【図５】
2007285971.tif 000007